(57)【要約】      （修正有） 【課題】ペットボトルその他の飲料用ボトル内の飲料用液体に対して水素を含有させることを可能とし、または水素含有飲料の含有水素の放出を防止できる蓋体を提供する。【解決手段】水素を含有する飲料のための飲料用ボトルの蓋体であって、少なくとも蓋体内部に空洞部からなる蓋体内空隙部を有すると共に該蓋体内空隙部はボトルと連通しているものであり、該蓋体内空隙部の空洞の容量が少なくとも５ミリリットル以上有し、蓋体内空隙部内に水素ガスを封入するものである。【選択図】図１
0003156674.tif 000002
【実用新案登録請求の範囲】
【請求項１】
水素を含有する飲料のための飲料用ボトルの蓋体であって、
少なくとも蓋体２内部に空洞部からなる蓋体内空隙部２１を有すると共に、
該蓋体内空隙部２１はボトル１内と連通しているものであり、
該蓋体内空隙部２１の空洞の容量を少なくとも５ミリリットル以上有し、
蓋体内空隙部２１内に水素ガスを封入するものであることを特徴とするボトルの蓋体。
【請求項２】
蓋体内空隙部２１が、蓋体２の蓋体螺合部２２の外周部分に同心円状に外部に膨らんで形成し、内部に空洞部を有する蓋体内空隙部２１であることを特徴とする請求項１記載のボトルの蓋体。
【請求項３】
蓋体内空隙部２１が、蓋体２の内面部分の蓋体螺合部２２の内周方向に筒状の空洞部からなる蓋体内空隙部２１であることを特徴とする請求項１記載のボトルの蓋体。
【請求項４】
蓋体内空隙部２１が、蓋体２の上部方向に内部が空洞部からなる球状の蓋体内空隙部２１であることを特徴とする請求項１記載のボトルの蓋体。
【請求項５】
蓋体内空隙部２１が、蓋体２の上部方向に内部が空洞部からなる円筒形状の蓋体空隙部２１であることを特徴とする請求項１記載のボトルの蓋体。
【請求項６】
蓋体内空隙部２１の空洞部が膜状部２３で封鎖されていることを特徴とする請求項１乃至５のいずれかに記載のボトルの蓋体。
【請求項７】
蓋体内空隙部２１の空洞部を封鎖する膜状部２３を、蓋体２の螺合部２２の途中に形成し、
ボトル１に蓋体２を螺合する際に膜状部２２の設置位置を超えて螺合することにより膜状部２２による封鎖を解くものであることを特徴とする請求項６記載のボトルの蓋体。
【請求項８】
ボトルがペットボトルであることを特徴とする請求項１乃至７のいずれかに記載のボトルの蓋体。
【請求項９】
蓋体内空隙部２１に封入する水素ガス濃度が少なくとも５１％以上の濃度を有する水素ガスであることを特徴とする請求項１乃至８のいずれかに記載のボトルの蓋体。
【考案の詳細な説明】
【技術分野】
【０００１】
本考案は、ペットボトルその他の飲料用ボトル内の飲料用液体に対して水素を含有させることを可能し、または水素含有飲料の含有水素の放出を防止できる蓋体の構造に関する。
【背景技術】
【０００２】
飲料用の各種液体例えば水やお茶或いは清涼飲料水などに関して、抗酸化物質として水素を含有し、これによる飲料用液体が用いられるものである。
これは特に数多い活性酸素の中でも特にヒドロキシラジカルのみを選んで還元し、身体に有用な活性酸素に影響を与えないからである。
更に水素の分子量はきわめて小さく、身体内に吸収しやすいこと、および水素が活性酸素と反応すると水に変化するものであり、安全性が高いからなどの理由を有するからである。
【０００３】
この場合ペットボトル内の飲料に対して水素を含有させるためにペットボトル内に水素を含有させるための各種部材を入れて、化学反応などによって水素を発生させるものがある。
例えば、係るために飲料用容器であるペットボトル内の液体に水素を含有させるために水素豊富水生成器をボトル内に入れる特開２００４-４１９４９号（特許文献１）及び特開２００７-１６３３号（特許文献２）、水素水発生粒子などの改良水発生体をペットボトル内に入れる特開２００５-７３８０号（特許文献３）、マグネシウム金属を充填した容器をペットボトル内に入れる特開２００６-２５５６１３号（特許文献４）等がある。
【０００４】
この他、飲料容器のわずかな空隙に水素を含むガスを置換するものとして０．１％乃至２０パーセントの水素ガスを含む混合ガスで飲料容器の空隙を置換する方法からなる特開２００８-２５９６８０号（特許文献５）、０．１％以上５０％以下の液体水素を含む不活性ガス液体を飲料容器の空隙に置換する方法からなる特開２００８-２９５４３６号（特許文献６）が存在する。
更に水素ガスを混合封入した飲料水を容器内に入れた際に該容器の液面又は表面に生ずる容器内部上部空間に混合ガスを密封する特開２００８-２８００５７号（特許文献７）も存在する。
【先行技術文献】
【特許文献】
【０００５】
【特許文献１】特開２００４-４１９４９号
【特許文献２】特開２００７-１６３３号
【特許文献３】特開２００５-７３８０号
【特許文献４】特開２００６-２５５６１３号
【特許文献５】特開２００８-２５９６８０号
【特許文献６】特開２００８-２９５４３６号
【特許文献７】特開２００８-２８００５７号
【考案の概要】
【考案が解決しようとする課題】
【０００６】
以上の様に、飲料について水素を含有させることは既に行われているが、飲料に水素を含有溶存させてペットボトルに入れて販売する場合に、そもそも水素が外部に出てしまい、飲料自体の水素含有量が当初より低下して水素の効果が発揮できないものである。
従って、このような場合例えばペットボトルではなく水素ガスが漏れ出ない特殊な容器により密封することが必要となってしまう。
【０００７】
これでは高額な費用がかかってしまうものであり、飲料用の容器としては不適格となる。
更に、容器内で水素を発生させるための特殊な部材を容器内に入れて、必要とする時点或いは任意の時点で該部材を設けて水素を発生されて水素を含有する飲料を製造する方法も存在するが、これは水素発生部材を別途ボトル内に入れておくことが必要であり、高額となるばかりでなく手間もかかるものとなる。
【０００８】
又、飲料を入れたペットボトルのキャップ部分のきわめて狭い空隙に水素を含むガスを封入する方法も示されている。
しかし、そもそも該空隙はきわめて狭いものであり、該水素ガスの濃度も低いものとなるものであり、該水素ガス程度では飲料に還元する量はきわめて低いものであって効果はそれほど高くはないものである。
特に空隙の量はそもそも変質防止のため等により少ない容量としているものであり、係る部分へのガスの置換による還元では効果が極めて少ないものでしかない。
【０００９】
係る点に鑑み本考案は、水素ガスを含有する飲料をペットボトルに入れる際に更に水素ガスを容器内の気体部分を置き換えるものであって、効果的に飲料内の水素ガスを含有させておくと共に、必要に応じて置換した水素ガスを効果的にペットボトルの飲料内に還元可能とするためのペットボトルを提供するものである。
【課題を解決するための手段】
【００１０】
以上のように係る課題を見事に解決するため、ペットボトル内に水素ガスを封入すること可能なペットボトルの蓋体を提供するものである。
係るため請求項１に係る考案は、水素を含有する飲料のための飲料用ボトルの蓋体であって、少なくとも蓋体内部に空洞部からなる蓋体内空隙部を有すると共に、該蓋体内空隙部はボトルと連通しているものであり、該蓋体内空隙部の空洞の容量が少なくとも５ミリリットル以上有し、蓋体内空隙部内に水素ガスを封入するものであるボトルの蓋体からなり、係る考案によって前記課題を解決できる。
【００１１】
又、請求項２に係る考案は、蓋体内空隙部が蓋体の蓋体螺合部の外周部分に同心円状に外部に膨らんで形成し、内部に空洞部を有する蓋体内空隙部であるボトルの蓋体であり、係る構成をもってしてもよい。
更に、請求項３に係る考案は、蓋体内空隙部が蓋体の内面部分の蓋体螺合部の内周方向に筒状の空洞部からなる蓋体内空隙部であるボトルの蓋体であり係る構成でもよい。
或いは請求項４に係る考案のように蓋体内空隙部が蓋体の上部方向に内部が空洞部からなる球状の蓋体内空隙部であるボトルの蓋体でもよい。
【００１２】
又は、請求項５に係る考案のように蓋体内空隙部が蓋体の上部方向に内部が空洞部からなる円筒形状の蓋体空隙部であるボトルの蓋体でもよい。
更に、請求項６に係る考案のように蓋体内空隙部の空洞部が膜状部で封鎖されているものでも、あるいは請求項７に係る考案のように蓋体内空隙部の空洞部分を封鎖する膜状部を、蓋体の螺合部の途中に形成し、ボトルに蓋体を螺合する際に膜状部の設置位置を超えて螺合することにより膜状部による封鎖を解くボトルの蓋体でもよい。
【００１３】
尚、請求項８に係る考案のようにボトルがペットボトルであるボトルの蓋体に用いることが最適である。
更に請求項９に係る考案は蓋体内空隙部に封入する水素ガス濃度が少なくとも５１％以上の濃度を有する水素ガスであるボトルの蓋体であり、係る考案によって前記課題を解決できる。
【考案の効果】
【００１４】
以上のように構成したことから、まず請求項１記載の考案により飲料中の含有水素の放出を高度に防止でき、更に例えばボトルを振る等することにより含有水素量を高めることもできる。
特に容量の多い水素ガスを飲料に添加できるものとなることから、当初水素ガスの含有していない一般的な通常の飲料に本考案に係る蓋体を用いることによって水素を含有する飲料を簡単かつ速やかに製造できるものであり、飲む前等にボトルを振ることにより水素含有飲料を得ることができる。
【００１５】
次に請求項２乃至請求項５に係る考案により、内部空洞を有し、該空洞部分が蓋体内空隙部を構成する蓋体を提供できるものであり、該蓋体内空隙部内に水素ガスを一定量以上封入できるものとなる。
更に請求項６に係る考案によって膜状部で蓋体内空隙部の空洞部を封鎖できるものとなり、蓋体のみの保管や使用ができ、必要な時点で用いることができると共に必要に応じてボトルと分離した状態での取り扱いもできる。
【００１６】
又請求項７に係る考案によって膜状部を用いる際に該膜状部を簡単に開扉できる構成を提供できるものであって、飲料直前に空洞部内の水素をボトルの容器内空隙に水素ガスを充満させることができる。
請求項８に係る考案によりもっとも多用されているペットボトルに対して用いることが可能である。
又請求項９に係る考案によって、濃度の高い水素ガスを用いることができるものであり、きわめて有用である。
【図面の簡単な説明】
【００１７】
【図１】本考案に係るボトルの蓋体を飲料用ペットボトルに用いた一例を示す図
【図２】図１に示す蓋体の斜視図
【図３】本考案に係るボトルの蓋体を飲料用ペットボトルに用いた他の一例を示す図
【図４】図３に示す蓋体の斜視図
【図５】本考案に係るボトルの蓋体を飲料用ペットボトルに用いた他の一例を示す図
【図６】図５に示す蓋体の斜視図
【図７】本考案に係るボトルの蓋体を飲料用ペットボトルに用いた他の一例を示す図
【図８】図７に示す蓋体の斜視図
【図９】本考案に係るボトルの蓋体の他の一例を示す図
【図１０】一般的な蓋体を有するボトルの一例を示す図
【考案を実施するための形態】
【００１８】
図１は、本考案に係るペットボトルの蓋体に関して一例を示す図である。
【００１９】
まず５００ミリリットルのペットボトル１には蓋体２を有していると共にボトル内には飲料３が封入している。
飲料としては、水やお茶或いはコーヒーや各種清涼飲料類等であり、係る飲料内には水素ガスが含有されているものである。
このような水素ガスを含有する飲料をボトル内に封入したうえで更に本図に示すように蓋体で容器は封鎖されているものである。
【００２０】
この蓋体２は、蓋体２内に空隙を有して蓋体内空隙部２１を有しており、この蓋体空隙部２１内に水素ガスを封入できるものである。
更に容器内の飲料の液面上部の容器内空隙１１を有しており、該部分にも水素ガスを封入しているものである。
従って容器内空隙１１の部分と蓋体内空隙部２１とを連通し、この両者内に水素ガスを封入しておくことにより、きわめて大容量の水素ガスを封入することができる。
【００２１】
これにより、例えば容器内の飲料に含有している水素が液体内から流出することをきわめて高い効率で防ぐことができるものであると共に、大容量の水素ガスを更に飲料内に封入できるものである。
本図の例としては飲料内に水素を含有していることを示したが、これに限らず、飲料内には水素を含有せずに容器内空隙と蓋体内空隙部内に水素ガスを封入しておき、飲料を飲む際にボトルを振ることにより水素ガスを飲料内に含有させることも可能である。
【００２２】
本図に示す蓋体内空隙２１の容量は一例として２０ミリリットル程度を示すが、少なくとも容量として５ミリリットル以上の容量を有していればよい。
これによって有用に水素ガスを封入できるものである。
尚、容量として例えば５ミリリットル以上５０ミリリットル程度の容量を有するものであればよいものである。
但し、これ以上の容量を有するものであってもよく、あるいはペットボトルが小型の容器の場合にはより少量であってもよい。
特に蓋体２内に蓋体内空隙２１を特に有し、容器内空隙１１以外にガスを封入可能な空隙を有するものであればよい。
【００２３】
図２は、図１の蓋体を示す図であり、ペットボトル本体１と螺合する蓋体螺合部２２と、該蓋体螺合部２２部分と連通し、少なくともガスを封入可能な空洞部分である蓋体内空隙２１を有するものである。
特に蓋体螺合部２２の外周部分に蓋体内空隙２１を有するものであって、該螺合部からなる円筒形状の口部に対して同心円状に外部に膨らんで形成し、内部に空洞部を有する蓋体内空隙２１を有する。
従って該蓋体２をペットボトル１に装着するとペットボトル内部１１と蓋体内空隙２１部分が連通するものとなる。
【００２４】
尚、このように構成した際に例えば開閉可能な膜状部を有し、通常では蓋体内空洞は膜状部によってボトル内部と隔離されており、必要に応じて膜状部を開扉してボトル内部と蓋体内空隙とが連通するように構成してもよい。
なお、蓋体螺合部２２はボトル１の口部の外周上に設けられたボトル口部螺合部１２と螺合してボトルの口部分を封鎖するものである。
またボトルは少なくとも飲料を封入可能なボトルであればよく、例えばペットボトルなどや金属製ボトルなどの各種材質のものを含むものである。
【００２５】
図３は、ペットボトルの蓋体の他の例を示す図である。
ペットボトル１に装着した蓋体２には蓋体内空隙部２１を同様に有し、該空隙部２１に水素ガスを封入できるものである。
この場合蓋体２内側に蓋体螺合部２２の内周方向に蓋体２より突出して形成した筒状の空洞からなる空隙部２１を有しており、該筒状内に水素ガスを封入しておくことにより、必要に応じて水素ガスを飲料内に含有させることができる。
蓋体内空隙部２１は、ボトル内部に連通しているものである。
【００２６】
図４は、図３の蓋体を示す図である。
本図に示すよう蓋体の内面部分の蓋体螺合部２２の内周方向に筒状の空洞部である蓋体内空隙部２１を有するものである。
該筒状部分の内部は空洞部となることから該部分にガスを封入できるものであり、ボトル内に一定量のガスを封入しておくことができる。
この容量に関しては前記した通りであり、例えば５ミリリットル以上５０ミリリットル程度の容量或いはこれ以上の容量を有するものであってもよく、又はペットボトル等が小型の容器の場合にはより少量であってもよい。
【００２７】
図５は、蓋体の他の例を示す図である。
本図に示すように蓋体２には更に蓋体上部方向に蓋体空隙部２１を有するものであり、この場合においても同様に容器内空隙部１１と連通しているものである。
本図の一例は蓋体２の上部方向に球状の蓋体内空隙部２１を有するものである。
本図の構成によっても、該蓋体内空隙部２１内に水素ガスを封入できる。
【００２８】
図６は、図５に示す蓋体２であり、惰円状の球形の蓋体内空隙部２１を有する例である。
従って球状内部は空洞によって構成されており、該空洞部内に同様に水素ガスを封入できるものであり、蓋体内空隙部２１によってガスを封入できるものである。
この場合においても、容量は前記のとおりであり、又球状の径も少なくともボトル１の径と同一程度かこれよりも細い径であればよい。
例えば該蓋体２の外周はペットボトルの胴部に口径とほぼ同一かこれよりも細いものであればよい。
【００２９】
図７は、蓋体の他の例を示す図であり、蓋体２上部に筒状の蓋体内空隙部２１を有する例である。
このように構成することにより該空隙２１内に水素ガスを封入できる。  図８は、図７に示す蓋体２部を示す図である。
蓋体螺合部２２の上部に円筒形状であって内部空洞を有する蓋体内空隙部２１を有する。
このように構成しても内部に水素ガスを封入できるものである。
この場合の円筒形状の径は、少なくともボトル１と同径かこれよりも細径であることが必要である。
【００３０】
図９は、図２に示す蓋体に膜状部２３を形成し、空洞部である蓋体内空隙部２１を封鎖した一例を示す。
例えば蓋体螺合部２２の途中に膜状部２３を形成し、保管時には該膜状部２３の下部まで螺合することによりペットボトルの蓋としてボトルを封鎖するが、使用時である飲料前により奥深くまで螺合することにより、ボトルの口部分が上部にまで達して膜状部２３の封鎖を解くことができる。
これにより蓋体内空隙部２１内の水素ガスがペットボトル内、例えばペットボトルの容器内空隙１１と連通してボトル内に流れ込むことを可能とする。
【００３１】
本図は一例であり、他の構成において例えば膜状部２３を形成するものでもよい。
尚、例えば膜状部２３を有する蓋体２は、そのままでも蓋体内空隙部２１内に水素ガスを封入しておけるものであり、この蓋体２のみを取引の対象として提供し、飲料時においてボトル１の口部分に装着して膜状部２３の封鎖を解くことにより、ボトル１内例えば容器内空隙部１１に水素ガスを入れることができる。
従って、水素ガスを封入後にボトルを振ることにより飲料内に水素を溶け込ますことができるものであり、水素を含有する飲料を簡単に提供できるものである。
【００３２】
この場合には自動販売機等への装填の必要がないことからペットボトルよりも太径のものを用いてもよい。
図１０は、一般的なペットボトルであり、本図に示すように通常の蓋体２には蓋体内空隙部を有していないものであり、容器内空隙１１のみを有するものであって、該空隙部１１分はきわめて容量が少ないものであることから該部分の水素ガスは飲料内のガスを外部に漏れ出すことを防ぐ程度であるが、反面水素ガスは分子が小さいことから外部に漏れやすく、できるだけ大容量のガスを入れておくことが必要となる。
【００３３】
以上のように本考案は極めて画期的な考案であり、水素ガスを有効に活用して飲料内に水素を溶け込ますことや飲料内の水素の含有の維持を図れるものとなる。
特に、飲料に水素を含有している飲料水などの液状飲料をペットボトル内に封入した際に水素の含有程度を高度に維持できるものとなり、また通常の一般的な水素を含有していない飲料に対しても容器内空隙部と蓋体内空隙部の水素ガスがあることから、ボトルを振る等により高濃度の水素を含有する飲料の提供ができるものである。
【００３４】
尚、本考案上、水素ガスは基本的には少なくとも５１％以上の水素ガスが最適であり、必要に応じて他のガスとの混合ガスであってもよく、更には水素ガス濃度も他の割合の濃度を有する各種水素ガスを用いるものであってもよい。
更にペットボトルの容量は一例として示したものであり、当然他の容量のボトルに用いるものであってもよい。
【００３５】
又、ペットボトルを前提として明示しているが他の材質のボトルであって水素含有飲料の封入に用いられるボトルの蓋体として用いるものであってもよい。
【符号の説明】
【００３６】
１      ボトル
１１    容器内空隙部
１２    ボトル口部螺合部
２      蓋
２１    蓋体内空隙部
２２    蓋体螺合部
２３    膜状部
３      飲料
【図１】
0003156674.tif 000003
【図２】
0003156674.tif 000004
【図３】
0003156674.tif 000005
【図４】
0003156674.tif 000006
【図５】
0003156674.tif 000007
【図６】
0003156674.tif 000008
【図７】
0003156674.tif 000009
【図８】
0003156674.tif 000010
【図９】
0003156674.tif 000011
【図１０】
0003156674.tif 000012